(57)【要約】【課題】  刃物が動いている時に、刃物の交換作業や刃物の向きの変更を不能にするための装置を備える刃物付き電動工具を提供する。【解決手段】  ハウジング３にスライドして取付けられるカバー４と、カバー４によってハウジング３に保持される刃物２ａ，２ｂと、モータ６の電源を入切する操作スイッチ５とを有する刃物付き電動工具１であって、ハウジング３とカバー４の間には、刃物２ａ，２ｂの取付部を覆った状態にてカバー４をハウジング３に対して解除可能に位置保持するロックボタン８が設けられている。ロックボタン８と操作スイッチ５の間には、操作スイッチ５を入り状態にした際にロックボタン８を解除状態にすることを防止する解除防止装置９が設けられている。【選択図】        図２
2006326780.tif 000002
【特許請求の範囲】
【請求項１】
モータを内蔵するハウジングと、そのハウジングにスライドして取付けられるカバーと、そのカバーによって取付部が覆われる刃物と、前記モータの電源を入切する操作スイッチとを有し、前記操作スイッチを入り状態にすることで前記刃物が前記モータの動力によって動く刃物付き電動工具であって、
前記ハウジングと前記カバーの間には、前記刃物の取付部を覆った状態にて前記カバーを前記ハウジングに対して解除可能に位置保持するロックボタンが設けられており、
前記ロックボタンと前記操作スイッチの間には、前記操作スイッチを入り状態にした際に前記ロックボタンを解除状態にすることを防止するための解除防止装置が設けられていることを特徴とする刃物付き電動工具。
【請求項２】
請求項１に記載の刃物付き電動工具であって、
解除防止装置は、ロックボタンを解除状態にした際に操作スイッチを入り状態にすることを防止する構成にもなっていることを特徴とする刃物付き電動工具。
【請求項３】
請求項１または２に記載の刃物付き電動工具であって、
解除防止装置は、操作スイッチとロックボタンの間に設けられる作動棒を有しており、前記操作スイッチを入り状態にすることで、前記作動棒が前記操作スイッチに押されて前記ロックボタン側へ移動して、前記ロックボタンが解除状態になることを規制する構成になっていることを特徴とする刃物付き電動工具。
【発明の詳細な説明】
【技術分野】
【０００１】
本発明は、刃物を有する電動工具、例えば園芸用バリカンなどに関する。
【背景技術】
【０００２】
従来、特許文献１，２に記載の園芸用バリカン（刃物付き電動工具）が知られている。
特許文献１に記載の園芸用バリカンは、モータを内蔵するハウジングと、固定刃と可動刃を有している。固定刃と可動刃は、可動刃が固定刃に揺動可能に軸支され、固定刃がハウジングの下部にねじによって固定されることでハウジングに取付けられている。
特許文献２に記載の園芸用バリカンは、ハウジングの下面に取付けられるアッパーステーとロアステーとの間に往復動可能に保持される二枚の刃物と、二個のスイッチを有し、二個のスイッチの双方を操作することで刃物がモータの動力によって動く構成になっている。
【特許文献１】特開平４−１８３３１１号公報
【特許文献２】特開平７−２０３７６８号公報
【発明の開示】
【発明が解決しようとする課題】
【０００３】
しかし特許文献１，２に係る園芸用バリカンに係る刃物は、消耗品であって時々交換する場合がある。あるいは使用勝手のために刃物をハウジングに対して向きを変更する場合がある。そのため刃物が動いている間に、刃物を交換したりあるいは刃物の向きを変更したりすることを防止するための装置が求められていた。しかし従来そのような装置は、知られていなかった。
そこで本発明は、刃物が動いている時に、刃物の交換作業や刃物の向きの変更を不能にする装置を備える刃物付き電動工具を提供することを課題とする。
【課題を解決するための手段】
【０００４】
前記課題を解決するために本発明は、各請求項に記載の通りの構成を備える刃物付き電動工具であることを特徴とする。
すなわち請求項１に記載の発明によると、ハウジングにスライドして取付けられるカバーを有し、そのカバーとハウジングの間には、刃物の取付部を覆った状態にてカバーをハウジングに対して解除可能に位置保持するロックボタンが設けられている。そしてロックボタンと操作スイッチの間には、操作スイッチを入り状態にした際にロックボタンを解除状態にすることを防止する解除防止装置が設けられている。
したがって操作スイッチを入り状態にして、刃物をモータによって動かしている時にロックボタンを解除状態にすることができない。そのためロックボタンを解除状態にしてカバーを外し、それによって刃物をハウジングから外したり、あるいは刃物をハウジングに対して向きを変更したりすることができなくなる。
【０００５】
請求項２に記載の発明によると、解除防止装置は、ロックボタンを解除状態にした際に操作スイッチを入り状態にすることを防止する構成にもなっている。
したがってロックボタンを解除状態にしてカバーをハウジングから取外そうとする際に、誤って操作スイッチを入り状態にしてしまうことが防止される。そのため刃物を交換するため、あるいは刃物の向きを変更するために、カバーをハウジングから取外そうとする際に、誤って刃物を動かしてしまうことを防止することができる。
【０００６】
請求項３に記載の発明によると、解除防止装置は、操作スイッチとロックボタンの間に設けられる作動棒を有している。そして操作スイッチを入り状態にすることで、作動棒が操作スイッチに押されてロックボタン側へ移動して、ロックボタンが解除状態になることを規制する構成になっている。
したがって解除防止装置は、作動棒によって機械的にロックボタンを解除不能にする構成になっている。
【発明を実施するための最良の形態】
【０００７】
（実施の形態１）
刃物付き電動工具の一つである芝生バリカン（園芸用バリカン）１を図１〜９にしたがって説明する。
芝生バリカン１は、図１，２に示すようにハウジング３とカバー４と刃物アッセンブリ２を有している。
【０００８】
カバー４は、ハウジング３に対してスライドされて取付けられ、取付けられることで刃物アッセンブリ２をハウジング３に対して保持する。そしてカバー４は、刃物アッセンブリ２の取付部（基端部）を下側から覆う。
ハウジング３には、刃物アッセンブリ２を保持した状態（刃物アッセンブリ２の取付部を覆った状態）においてカバー４を解除可能に位置保持するロックボタン８が設けられている。
またハウジング３には、図２に示すように入切操作される操作スイッチ５と、操作スイッチ５を入り状態にすることで作動するモータ６と、モータ６の動力を刃物アッセンブリ２に伝達する駆動機構７が設けられている。
そしてロックボタン８と操作スイッチ５の間には、解除防止装置９が設けられている。
【０００９】
ハウジング３は、図１に示すように中空殻状であって、左右一対の殻体３ａ，３ｂを有している。ハウジング３の上側部にハンドル部３０が形成されており、そのハンドル部３０の下側部に操作スイッチ５が設けられている。
操作スイッチ５は、図２に示すようにハウジング３に対して傾動可能に取付けられる軸部５ｂを有している。操作スイッチ５とプッシュスイッチ１０の間には、操作スイッチ５を突出方向（ＯＦＦ方向）に付勢する付勢部材１７が設けられている。したがって操作スイッチ５は、付勢部材１７に抗して押されることで軸部５ｂを中心に傾動し、入り状態（ＯＮ状態）になる。そして入り状態になることで、ハウジング３に内設されたプッシュスイッチ１０の出没ピン１０ａを押す。
【００１０】
プッシュスイッチ１０は、出没ピン１０ａが押されことでハウジング３に内蔵されたモータ６と電源コード１１を電気的に接続する。したがって操作スイッチ５を押すことでモータ６が作動し、操作スイッチ５を押している力を解除することによって操作スイッチ５が切状態に戻ってモータ６が停止する。
モータ６は、軸回転作動する回転軸６ａと、回転軸６ａに固定されたピニオンギヤ６ｂを有している。
【００１１】
駆動機構７は、図２に示すようにモータ６の出力を刃物アッセンブリ２の刃物２ａ，２ｂの往復運動に変換する機構であって、複数のギヤ７ａ，７ｂと遍心カム７ｃ，７ｄを有している。
ギヤ７ａは、ハウジング３に取付けられた作動棒９ａに軸支されている。一方、ギヤ７ｂは、ハウジング３に取付けられた軸部材７ｅに軸支されている。
ギヤ７ａは、ピニオンギヤ６ｂに噛合う大ギヤ部７ａ１と、ギヤ７ｂに噛合う小ギヤ部７ａ２とを上下に一体に有している。そしてギヤ７ｂに遍心カム７ｃ，７ｄが固定されている。
【００１２】
遍心カム７ｃは、図２に示すように刃物２ａに形成されたカム挿入孔２ａ１に内設され（図４参照）、回転することで刃物２ａを往復揺動させる。一方、遍心カム７ｄは、刃物２ｂに形成されたカム挿入孔２ｂ１に内設され、回転することで刃物２ｂを往復揺動させる。そして刃物２ａ，２ｂは、遍心カム７ｃ，７ｄによって相互にほぼ逆方向に往復揺動する。
【００１３】
刃物アッセンブリ２は、図４に示すように二つの刃物（可動刃）２ａ，２ｂの他に支持プレート２ｃを有している。刃物２ａ，２ｂと支持プレート２ｃは、図３，４に示すようにピン２ｄとＥリング２ｅによって回動可能に組み付けられている。
支持プレート２ｃは、図３に示すように略円盤状であって、下方に突出する複数（例えば三つ）の力受部２ｃ１を有している。
【００１４】
カバー４は、図３，４に示すようにハウジング３に係止する複数（例えば二つ）の係着部４ａと、刃物アッセンブリ２をハウジング３に押付ける複数（例えば三つ）の押付け部４ｂを有している。
係着部４ａは、図７に示すように略Ｌ字状に形成されており、ハウジング３の係止部３ｄに係止する。
ハウジング３の係止部３ｄは、図３，７に示すようにハウジング３の底部に形成された開口部３ｅの周壁面に凹設されている。そしてハウジング３には、係止部３ｄにカバー４の係着部４ａを差込むための差込み部３ｃが形成されている。
したがって係着部４ａを差込み部３ｃに差込み（図３参照）、カバー４を図５に示す矢印Ｘ方向にスライドさせることで、係着部４ａが図７に示すように係止部３ｄに係着し、カバー４がハウジング３に取付けられる。
【００１５】
押付け部４ｂは、図４，７に示すようにカバー４から突出状に形成されている。押付け部４ｂは、カバー４をハウジング３に取付けることで、刃物アッセンブリ２の力受部２ｃ１を押し、刃物アッセンブリ２の支持プレート２ｃの上面周縁部をハウジング３に押し当てる。したがって刃物アッセンブリ２は、カバー４をハウジング３に取付けることで、ハウジング３側に保持される。
【００１６】
ロックボタン８は、図３に示すように取付部８ａと弾性片８ｂを有している。
取付部８ａは、ハウジング３の殻体３ａ，３ｂの間に挟まれることでハウジング３に取付けられる。
弾性片８ｂは、図２に示すように取付部８ａから片持ち梁状にカバー４に向けて張り出している。弾性片８ｂは、カバー４をハウジング３に取付けるために、カバー４をハウジング３に押付けることでカバー４に押されて弾性変形する。そして図５，６に示すようにカバー４をハウジング３に対して回動させている間にも弾性変形され続ける。
一方、カバー４には、位置決め部４ｃが凹設されている。そして位置決め部４ｃがロックボタン８に対応する位置まで移動されることで、弾性片８ｂが弾性戻りして、弾性片８ｂが位置決め部４ｃに嵌り込む。したがってカバー４は、ロックボタン８と位置決め部４ｃとからなる位置決め機構２２によってハウジング３に対して位置保持される。
【００１７】
解除防止装置９は、操作スイッチ５を入り状態にした際にロックボタン８を解除状態にすることを防止するための装置であって、図２に示すように作動棒９ａと支持部９ｂ，９ｃと付勢部材９ｄを有している。
作動棒９ａは、ロックボタン８の上方で、かつ操作スイッチ５の張出し片５ａの下側に配設されている。そして作動棒９ａは、下側にロックボタン８の弾性片８ｂに向けて延出する下側延出部９ａ１を有し、上側に張出し片５ａに向けて延出する上側延出部９ａ２を有している。
【００１８】
支持部９ｂ，９ｃは、ハウジング３に形成されており、作動棒９ａの下側部と上側部を上下動可能に支持する。
付勢部材９ｄは、上端部がハウジング３の張出し片３ｉに当接され、下端部が作動棒９ａの上端部に当接されることで、作動棒９ａを下方に付勢する。作動棒９ａは、下方に付勢されることでロックボタン８の弾性片８ｂを下方（ロック状態側）に押している。
【００１９】
カバー４と刃物アッセンブリ２をハウジング３から取外す場合は、先ず、ロックボタン８の弾性片８ｂを解除方向（アンロック方向）に押し込み、弾性片８ｂを位置決め部４ｃから係止解除させた状態にする（図６，９参照）。そしてその状態のままカバー４を図５の矢印Ｘ方向と逆の方向に回す。これによりカバー４をハウジング３から外すことができ、続いて刃物アッセンブリ２をハウジング３から取外すことができる。
【００２０】
次に、解除防止装置９の作用について説明する。
解除防止装置９は、図８，９に示すように二つの作用を有している。
第一の作用は、図８に示すように操作スイッチ５を押した状態（入り状態）でロックボタン８を解除状態にすることを不能にする作用である。すなわち操作スイッチ５を押すことで操作スイッチ５が軸部５ｂを中心に回動し、操作スイッチ５の張出し片５ａが下方に傾動する。そして張出し片５ａが作動棒９ａの上側延出部９ａ２に当接し、作動棒９ａの上方への移動を防止する。したがって作動棒９ａによってロックボタン８の弾性片８ｂが上方に弾性変形できなくなり、ロックボタン８を解除状態へ押すことができなくなる。
【００２１】
解除防止装置９の第二の作用は、図９に示すようにロックボタン８の弾性片８ｂを上方に押した状態（解除状態）で操作スイッチ５を入り状態にすることを不能にする作用である。すなわちロックボタン８を押すことで作動棒９ａが付勢部材９ｄに抗して上方に移動する。そして作動棒９ａの上側延出部９ａ２が操作スイッチ５の張出し片５ａに当接する。したがって操作スイッチ５は、入り状態に向けて回動できなくなり、操作不能となる。
【００２２】
以上のようにして芝生バリカン１が構成されている。
すなわち図２に示すようにロックボタン８と操作スイッチ５の間には、図８に示すように操作スイッチ５を入り状態にした際にロックボタン８を解除状態にすることを防止するための装置が設けられている。
したがって操作スイッチ５を入り状態にして、刃物２ａ，２ｂをモータ６によって動かしている時にロックボタン８を解除状態にすることができない。そのためロックボタン８を解除状態にしてカバー４を外し、それによって刃物アッセンブリ２（刃物２ａ，２ｂ）をハウジング３から取外すことができなくなる。
また操作スイッチ５を入り状態にして作業している時に、ロックボタン８を何かにぶつけ、ロックボタン８を誤って解除状態にしてしまうことも防止することができる。
【００２３】
また解除防止装置９は、図９に示すようにロックボタン８を解除状態にした際に操作スイッチ５を入り状態にすることを防止する構成にもなっている。
したがってロックボタン８を解除状態にしてカバー４をハウジング３から取外そうとする際に、誤って操作スイッチ５を入り状態にしてしまうことが防止される。そのため刃物アッセンブリ２（刃物２ａ，２ｂ）を交換するためにカバー４をハウジング３から取外そうとする際に、誤って刃物２ａ，２ｂを動かしてしまうことを防止することができる。
【００２４】
また解除防止装置９は、図８に示すように操作スイッチ５とロックボタン８の間に設けられる作動棒９ａを有している。そして操作スイッチ５を入り状態にすることで、作動棒９ａが操作スイッチ５に押されてロックボタン８側へ移動して、ロックボタン８が解除状態になることを規制する構成になっている。
したがって解除防止装置９は、作動棒９ａによって機械的にロックボタン８を解除不能にする構成になっている。
【００２５】
（実施の形態２）
実施の形態２を図１０〜１４にしたがって説明する。
実施の形態２は、実施の形態１とほぼ同様に形成されている。しかし図１１，１２に示すように刃物アッセンブリ２をハウジング３に対して向きを変更することができる点で実施の形態１と相違している。以下、相違点を中心に実施の形態２について説明する。
【００２６】
実施の形態２にかかる芝生バリカン１は、図１０に示すようにハウジング３と刃物アッセンブリ２とカバー１４を有している。
ハウジング３の底部には、刃物アッセンブリ２の向きを変更し保持するために回転部材１５と位置決め部材１６が取付けられている。
回転部材１５は、ドーナツ円盤状であって、図１０に示すようにハウジング３に形成された溝３ｆに対して摺動可能に掛け止められる凸部１５ａを有している。
回転部材１５には、図１１，１２に示すように刃物アッセンブリ２が設置される底側凹部１５ｃが形成されている。したがって回転部材１５は、刃物アッセンブリ２とともにハウジング３の底面に対して向き変更される。
【００２７】
位置決め部材１６は、回転部材１５をハウジング３に対して位置決め保持する部材であって、図１０に示すように板材から形成されている。
位置決め部材１６は、回転部材１５の差込穴１５ｄに差し込まれ、ハウジング３側に十分に差込まれることで先端部がハウジング３の固定部３ｈに当接する。あるいは図１２に示すハウジング３の固定部３ｇに当接される。そのため位置決め部材１６は、回転部材１５をハウジング３に対して図１１に示す通常位置と、図１２に示す直角位置とに位置決め保持する。したがって刃物アッセンブリ２をハウジング３の長手方向に延出する通常位置（図１１の位置）と、ハウジング３の短手方向に延出する直角位置（図１２の位置）に向きとに変えることができる。
【００２８】
カバー１４は、回転部材１５に対してスライドされることで回転部材１５に取付けられる。そしてカバー１４は、回転部材１５に取付けられた状態で刃物アッセンブリ２をハウジング３側に保持し、刃物アッセンブリ２の取付部（基端部）を下側から覆う。
回転部材１５には、図１０に示すようにカバー１４を解除可能に位置保持するロックボタン１８が設けられている。一方、カバー１４には、ロックボタン１８が嵌め込まれる凹状の位置決め部１４ｃが形成されている。
【００２９】
ロックボタン１８は、図１０に示すように円柱状であって、回転部材１５の取付孔１５ｂに挿入される。そして上端部に抜止部材１３が取付けられ、下方への脱落が防止されている。ロックボタン１８の下端部には、カバー１４の位置決め部１４ｃに嵌め込まれる嵌り込み部１８ａが形成されている。
嵌り込み部１８ａと回転部材１５の間には、ロックボタン１８を下方に付勢する付勢部材１２が取付けられている。
【００３０】
回転部材１５には、図１１，１２に示すように複数（例えば二つ）のロックボタン１８，１８が取付けられている。これに対してカバー１４には、図１０に示すように一つの位置決め部１４ｃが形成されている。位置決め部１４ｃは、後部（図１１，１２に示す左部）に位置するロックボタン１８に移動されることで、後部に位置するロックボタン１８と係合する。したがってカバー１４は、図１１に示す通常位置と、図１２に示す直角位置の両位置においてハウジング３に対し位置固定される。
【００３１】
ロックボタン１８と操作スイッチ５の間には、図１０に示すように解除防止装置１９が設けられている。
解除防止装置１９は、作動棒１９ａと、作動棒１９ａを上下動可能に支持する支持部１９ｂ，１９ｃと、作動棒１９ａを下方に付勢する付勢部材１９ｄを有している。
作動棒１９ａは、ロックボタン１８の軸線上で、ロックボタン１８の上方で、かつ操作スイッチ５の張出し片５ａの下側に配設されている。そして作動棒１９ａは、ロックボタン１８に延出する下側延出部１９ａ１と、張出し片５ａに延出する上側延出部１９ａ２を有している。
【００３２】
ハウジング３に内蔵された駆動機構７は、ギヤ７ａとギヤ７ｂを有し、ギヤ７ａは、作動棒１９ａに対して軸支されている。一方、ギヤ７ｂは、ハウジング３に取付けられた軸部材７ｅに軸支されている。
【００３３】
刃物アッセンブリ２を図１１の位置から図１２の位置に向きを変える場合は、先ず、カバー１４の位置決め部１４ｃの底面に形成された貫通孔１４ｄに指等を入れて、ロックボタン１８を付勢部材１２に抗して上方に押し上げる（図１３，１４参照）。そして嵌り込み部１８ａを位置決め部１４ｃから解除させた状態とし、その状態でカバー１４を図５の矢印Ｘ方向と逆の方向に回転させ、カバー１４をハウジング３側から取外す。
【００３４】
次に、位置決め部材１６を引き、ハウジング３の固定部３ｈから位置決め部材１６の上端部を離間させる（図１４参照）。そして回転部材１５を図１１に示す通常位置から図１２に示す直角位置まで回転させ、位置決め部材１６をハウジング３側に差込み、位置決め部材１６の上端部をハウジング３に形成された直角位置用の固定部３ｇに当接させる。その後、カバー１４をハウジング３側に取付ける。
刃物アッセンブリ２を図１２の位置から図１１の位置に向きを変える場合も、上記と同様の方法にて行うことができる。
したがって本形態によると、工具を使用することなく刃物アッセンブリ２をハウジング３に対して向き変更することができる。
【００３５】
次に、解除防止装置１９の作用について説明する。
解除防止装置１９は、図１３，１４に示すように二つの作用を有している。
第一の作用は、図１３に示すように操作スイッチ５を押した状態（入り状態）でロックボタン１８を解除状態にすることを不能にする作用である。すなわち操作スイッチ５を押すことで操作スイッチ５が軸部５ｂを中心に回動し、操作スイッチ５の張出し片５ａが下方に傾動する。そして張出し片５ａが作動棒１９ａの上側延出部１９ａ２に当接し、作動棒１９ａの上方への移動を防止する。したがって作動棒１９ａによってロックボタン１８が上方にスライドできなくなり、ロックボタン１８を解除状態へ押すことができなくなる。
【００３６】
解除防止装置１９の第二の作用は、図１４に示すようにロックボタン１８を上方に押した状態（解除状態）で操作スイッチ５を入り状態にすることを不能にする作用である。すなわちロックボタン１８を押すことで作動棒１９ａが付勢部材１９ｄに抗して上方に移動する。そして作動棒１９ａの上側延出部１９ａ２が操作スイッチ５の張出し片５ａに当接する。したがって操作スイッチ５は、入り状態に向けて回動できなくなり、操作不能となる。
【００３７】
以上のようにして芝生バリカン１が構成されている。
すなわちロックボタン１８と操作スイッチ５の間には、図１３に示すように操作スイッチ５を入り状態にした際にロックボタン１８を解除状態にすることを防止する解除防止装置１９が設けられている。
したがって操作スイッチ５を入り状態にして、刃物２ａ，２ｂをモータ６によって動かしている時にロックボタン１８を解除状態にすることができない。そのためロックボタン１８を解除状態にしてカバー１４を外し、それによって刃物アッセンブリ２（刃物２ａ，２ｂ）をハウジング３に対して向き変更することができなくなる。
【００３８】
また解除防止装置１９は、図１４に示すようにロックボタン１８を解除状態にした際に操作スイッチ５を入り状態にすることを防止する構成にもなっている。
したがってロックボタン１８を解除状態にしてカバー１４をハウジング３から取外そうとする際に、誤って操作スイッチ５を入り状態にしてしまうことが防止される。そのため刃物アッセンブリ２（刃物２ａ，２ｂ）の向きを変更するために、カバー１４をハウジング３から取外そうとする際に、誤って刃物２ａ，２ｂを動かしてしまうことを防止することができる。
【００３９】
（他の実施の形態）
本発明は、実施の形態１，２に限定されず、以下の形態であってもよい。
（１）すなわち実施の形態１，２は、園芸用バリカンの一つである芝生バリカンにかかる形態であった。しかし園芸用バリカンの一つであるヘッジトリマや刃物を有する他の電動工具であって、これらに実施の形態１，２にかかる解除防止装置を有する形態であっても良い。
（２）実施の形態１，２にかかるロックボタンは、押されることで解除状態にされるボタン式であった。しかしスライドされることで解除状態になるスライド式、あるいは傾動操作されることによって解除状態になるトグル式のロックボタンであっても良い。
（３）実施の形態１，２にかかるカバーは、ハウジングに対して回転スライドされることでハウジング側に取付けられる構成になっていた。しかしロックボタンがハウジングに対して前後あるいは左右方向にハウジングに対して直線的にスライドされることで取付けられる構成になっていても良い。
（４）実施の形態２にかかる解除防止装置１９は、図１０に示すように付勢部材１９ｄを有していたが、付勢部材１９ｄを有してない形態であっても良い。
【図面の簡単な説明】
【００４０】
【図１】実施の形態１にかかる芝生バリカンの斜視図である。
【図２】右側の殻体を外した状態の実施の形態１にかかる芝生バリカンの右側面図である。
【図３】実施の形態１にかかる刃物アッセンブリとカバーとハウジングの一部の斜視図である。
【図４】実施の形態１にかかる刃物アッセンブリとカバーとハウジングの一部の斜視図である。
【図５】カバー組付け途中の実施の形態１にかかる芝生バリカンの下面図である。
【図６】カバー組付け後の実施の形態１にかかる芝生バリカンの下面図である。
【図７】図６のＡ−Ａ線断面矢視図である。
【図８】解除防止装置の作用を説明するための実施の形態１にかかる芝生バリカンの図２に対応する右側面図である。
【図９】解除防止装置の作用を説明するための実施の形態１にかかる芝生バリカンの図２に対応する右側面図である。
【図１０】右側の殻体を外した状態の実施の形態２にかかる芝生バリカンの右側面図である。
【図１１】カバーを外した状態の実施の形態２にかかる芝生バリカンの下面図である。
【図１２】カバーを外した状態の実施の形態２にかかる芝生バリカンの下面図である。
【図１３】解除防止装置の作用を説明するための実施の形態２にかかる芝生バリカンの図１０に対応する右側面図である。
【図１４】解除防止装置の作用を説明するための実施の形態２にかかる芝生バリカンの図１０に対応する右側面図である。
【符号の説明】
【００４１】
１…芝生バリカン（刃物付き電動工具）
２…刃物アッセンブリ
２ａ，２ｂ…刃物
２ｃ…支持プレート
３…ハウジング
４，１４…カバー
５…操作スイッチ
６…モータ
７…駆動機構
８，１８…ロックボタン
８ａ…取付部
８ｂ…弾性片
９，１９…解除防止装置
９ａ，１９ａ…作動棒
９ａ１，１９ａ１…下側延出部
９ａ２，１９ａ２…上側延出部
１０…プッシュスイッチ
１５…回転部材
１６…位置決め部材
【図１】
2006326780.tif 000003
【図２】
2006326780.tif 000004
【図３】
2006326780.tif 000005
【図４】
2006326780.tif 000006
【図５】
2006326780.tif 000007
【図６】
2006326780.tif 000008
【図７】
2006326780.tif 000009
【図８】
2006326780.tif 000010
【図９】
2006326780.tif 000011
【図１０】
2006326780.tif 000012
【図１１】
2006326780.tif 000013
【図１２】
2006326780.tif 000014
【図１３】
2006326780.tif 000015
【図１４】
2006326780.tif 000016